(57)【要約】  エレベータ用ロープに係り、該エレベータ用ロープは、複数のワイヤが撚られて形成された中心ストランドと、複数のワイヤが撚られて形成され、中心ストランドの外周に配置される内層ストランドと、複数のワイヤが撚られて形成され、内層ストランドの外周に配置される外層ストランドと、を含むが、内層ストランド及び外層ストランドは、それぞれ１０本が設けられ、中心ストランドの直径、内層ストランドの直径、及び外層ストランドの直径は、外層ストランドに接する仮想の第１円の直径に対して、それぞれ０．３３ないし０．３５倍、０．１３ないし０．１５倍、及び０．２２ないし０．２４倍とされ、断面充填率は、６４％ないし６７％であることを特徴とする。【選択図】図１
2017517655.tif 000002
【特許請求の範囲】
【請求項１】
複数のワイヤ１が撚られて形成された中心ストランド１０と、
複数のワイヤ１が撚られて形成され、前記中心ストランド１０の外周に配置される内層ストランド２０と、
複数のワイヤ１が撚られて形成され、前記内層ストランド２０の外周に配置される外層ストランド３０と
を含み、
前記内層ストランド２０及び外層ストランド３０は、それぞれ１０本が設けられ、
前記中心ストランド１０の直径、前記内層ストランド２０の直径、及び前記外層ストランド３０の直径は、前記外層ストランド３０に接する仮想の第１円４０の直径に対して、それぞれ０．３３ないし０．３５倍、０．１３ないし０．１５倍、及び０．２２ないし０．２４倍とされ、
断面充填率は６４％ないし６７％であることを特徴とする、エレベータ用ロープ。
【請求項２】
互いに隣接した前記内層ストランド２０が、互いに離隔されて形成されたギャップを、内層ストランド２０間のギャップ（ＮＧ）とし、前記内層ストランド２０に接する仮想の第２円５０の直径を、内層ロープ径（ＮＲ）とするとき、
０．３％≦（ＮＧ／ＮＲ）×１００≦０．６％である関係が成立し、
互いに隣接した前記外層ストランド３０が、互いに離隔されて形成されたギャップを、外層ストランド３０間のギャップ（ＯＧ）とし、前記外層ストランド３０に接する仮想の前記第１円４０の直径を、外層ロープ径（ＯＲ）とするとき、
０．５％≦（ＯＧ／ＯＲ）×１００≦１．０％である関係が成立することを特徴とする、請求項１に記載のエレベータ用ロープ。
【請求項３】
前記中心ストランド１０のピッチは、前記中心ストランド１０の直径の６ないし８倍、
前記内層ストランド２０のピッチは、前記内層ストランド２０の直径の８ないし１０倍、
前記外層ストランド３０のピッチは、前記外層ストランド３０直径の６．５ないし８．５倍であることを特徴とする、請求項１に記載のエレベータ用ロープ。
【請求項４】
複数のワイヤ１を撚って形成した中心ストランド１０を配置し、前記中心ストランド１０の外周に、複数のワイヤ１を撚って形成した内層ストランド２０を１０本配置し、前記内層ストランド２０の外周に、複数のワイヤ１を撚って形成した外層ストランド３０を１０本配置するストランドセッティング段階と、
断面充填率は、６４％ないし６７％になるように、前記中心ストランド１０、前記内層ストランド２０及び前記外層ストランド３０を同時に撚る単一クロージング段階と
を含み、
ここで、前記中心ストランド１０の直径、前記内層ストランド２０の直径、及び前記外層ストランド３０の直径は、前記外層ストランド３０に接する仮想の第１円４０の直径に対して、それぞれ０．３３ないし０．３５倍、０．１３ないし０．１５倍、及び０．２２ないし０．２４倍とされることを特徴とする、エレベータ用ロープの製造方法。
【請求項５】
前記単一クロージング段階は、
互いに隣接した前記内層ストランド２０が、互いに離隔されて形成されたギャップを、内層ストランド２０間のギャップ（ＮＧ）とし、前記内層ストランド２０に接する仮想の第２円５０の直径を、内層ロープ径（ＮＲ）とするとき、０．３％≦（ＮＧ／ＮＲ）×１００≦０．６％である関係が成立し、
互いに隣接した前記外層ストランド３０が、互いに離隔されて形成されたギャップを、外層ストランド３０間のギャップ（ＯＧ）とし、前記外層ストランド３０に接する仮想の前記第１円４０の直径を、外層ロープ径（ＯＲ）とするとき、０．５％≦（ＯＧ／ＯＲ）×１００≦１．０％である関係が成立するように遂行されることを特徴とする、請求項４に記載のエレベータ用ロープの製造方法。
【請求項６】
前記中心ストランド１０のピッチは、前記中心ストランド１０の直径の６ないし８倍、
前記内層ストランド２０のピッチは、前記内層ストランド２０の直径の８ないし１０倍、
前記外層ストランド３０のピッチは、前記外層ストランド３０直径の６．５ないし８．５倍であることを特徴とする、請求項４に記載のエレベータ用ロープの製造方法。
【発明の詳細な説明】
【技術分野】
【０００１】
本発明は、エレベータ用ロープ及びその製造方法に係り、ストランド数の増大及び高い断面充填率によって構造的に安定化され、円形率及び形態安定性が高く確保され、エレベータの駆動時、振動を最小化させ、乗り心地を向上させるエレベータロープ及びその製造方法に関する。
【背景技術】
【０００２】
従来、中／高層用エレベータロープは、一般的に、８本の外層ストランドと、中心（ＩＷＲＣ（independent wire rope core）またはファイバ）とから構成される。主に、メイントラクション（main traction）用としては、ファイバが適用された製品が使用され、調速機（govener）用としては、ＩＷＲＣが適用された製品が使用される。
【０００３】
しかし、超高層用建物に適用するために、さらに高い安全率を有さなければならないために、従来のファイバ中心のエレベータロープより高い切断力が要求される。高い切断力を確保するために、ワイヤの強度を向上させることができるが、エレベータロープの特性上、メイントラクションロープは、トラクションシーブ（traction sheave）と摩擦してしまうので、エレベータロープを構成するワイヤの強度を高めるのに制限が生じる。すなわち、ワイヤの強度が高ければ、シーブの寿命が低下するので（通常、シーブと接触するワイヤの硬度は、シーブの硬度より低く、ビッカース硬度４５０±３０レベルを維持）、ファイバ中心の代わりに、ＩＷＲＣが適用される。
【０００４】
このように、ＩＷＲＣを適用した超高層用エレベータロープが適用されているが、外層ストランドが、従来、中／高層用でのように、８本で適用されている実情である。超高層建物において、エレベータの高速運行時、安全な運行のために、エレベータロープは、構造的にさらに安定化されることが要求されている。
【０００５】
最近、超高層建物の増加により、超高層用建物に使用されるエレベータロープの需要が増加しており、従来の中／高層用エレベータロープに比べ、さらに長い距離を運行しなければならないので、高い安全率、高い弾性係数及び低い伸率を有することが要求されている。それだけではなく、長い運行距離を高速で運行するとき、運行時及び乗下車時の乗り心地を維持するために、振動最小化が要求されている。
【発明の概要】
【発明が解決しようとする課題】
【０００６】
本発明は、かような要求を満足させるために創出されたものであり、特に、ストランド数の増大及び高い断面充填率によって、構造的に安定化され、円形率及び形態安定性が高く確保され、エレベータの駆動時、振動を最小化させて乗り心地を向上させるエレベータロープ及びその製造方法を提供することを目的とする。
【課題を解決するための手段】
【０００７】
前述の目的を達成するための本発明の一側面によるエレベータ用ロープは、複数のワイヤが撚られて形成された中心ストランドと、複数のワイヤが撚られて形成され、前記中心ストランドの外周に配置される内層ストランドと、複数のワイヤが撚られて形成され、前記内層ストランドの外周に配置される外層ストランドと、を含むが、前記内層ストランド及び外層ストランドは、それぞれ１０本が設けられ、前記中心ストランドの直径、前記内層ストランドの直径、及び前記外層ストランドの直径は、前記外層ストランドに接する仮想の第１円の直径に対して、それぞれ０．３３ないし０．３５倍、０．１３ないし０．１５倍、及び０．２２ないし０．２４倍とされ、断面充填率（fill factor）は、６４％ないし６７％であることを特徴とする。
【０００８】
また、互いに隣接した前記内層ストランドが、互いに離隔されて形成されたギャップを、内層ストランド間ギャップ（ＮＧ）とし、前記内層ストランドに接する仮想の第２円の直径を、内層ロープ径（ＮＲ）とするとき、０．３％≦（ＮＧ／ＮＲ）×１００≦０．６％である関係が成立し、互いに隣接した前記外層ストランドが、互いに離隔されて形成されたギャップを、外層ストランド間ギャップ（ＯＧ）とし、前記外層ストランドに接する仮想の前記第１円の直径を、外層ロープ径（ＯＲ）とするとき、０．５％≦（ＯＧ／ＯＲ）×１００≦１．０％である関係が成立することが望ましい。
【０００９】
また、前記中心ストランドのピッチは、前記中心ストランドの直径の６ないし８倍、前記内層ストランドのピッチは、前記内層ストランドの直径の８ないし１０倍、前記外層ストランドのピッチは、前記外層ストランド直径の６．５ないし８．５倍であることが望ましい。
【００１０】
一方、本発明の他の側面によるエレベータ用ロープの製造方法は、複数のワイヤを撚って形成した中心ストランドを配置し、前記中心ストランドの外周に、複数のワイヤを撚って形成した内層ストランドを１０本配置し、前記内層ストランドの外周に、複数のワイヤを撚って形成した外層ストランドを１０本配置するストランドセッティング段階と、断面充填率（fill factor）は、６４％ないし６７％になるように、前記中心ストランド、前記内層ストランド及び前記外層ストランドを同時に撚る単一クロージング段階と、を含むが、ここで、前記中心ストランドの直径、前記内層ストランドの直径、及び前記外層ストランドの直径は、前記外層ストランドに接する仮想の第１円の直径に対して、それぞれ０．３３ないし０．３５倍、０．１３ないし０．１５倍、及び０．２２ないし０．２４倍とされることを特徴とする。
【００１１】
ここで、前記単一クロージング段階は、互いに隣接した前記内層ストランドが、互いに離隔されて形成されたギャップを、内層ストランド間ギャップ（ＮＧ）とし、前記内層ストランドに接する仮想の第２円の直径を、内層ロープ径（ＮＲ）とするとき、０．３％≦（ＮＧ／ＮＲ）×１００≦０．６％である関係が成立し、互いに隣接した前記外層ストランドが、互いに離隔されて形成されたギャップを、外層ストランド間ギャップ（ＯＧ）とし、前記外層ストランドに接する仮想の前記第１円の直径を、外層ロープ径（ＯＲ）とするとき、０．５％≦（ＯＧ／ＯＲ）×１００≦１．０％である関係が成立するように遂行されることが望ましい。
【００１２】
ここで、前記中心ストランドのピッチは、前記中心ストランドの直径の６ないし８倍、前記内層ストランドのピッチは、前記内層ストランドの直径の８ないし１０倍、前記外層ストランドのピッチは、前記外層ストランド直径の６．５ないし８．５倍であることが望ましい。
【発明の効果】
【００１３】
本発明によるエレベータ用ロープ及びその製造方法は、ストランド数の増大及び高い断面充填率によって構造的に安定化され、円形率及び形態安定性が高く確保され、エレベータの駆動時、振動を最小化させて乗り心地を向上させる。
【図面の簡単な説明】
【００１４】
【図１】本発明の実施形態によるエレベータ用ロープの断面図である。
【図２】図１を、ストランド観点から概略的に図示した図面である。
【発明を実施するための形態】
【００１５】
本発明は、超高層用建物に使用されるエレベータロープ及びその製造方法に関する。
【００１６】
以下、本発明による望ましい実施形態について、添付された図１及び図２を参照して詳細に説明する。
【００１７】
図１に図示されているように、本発明の一側面によるエレベータ用ロープは、中心ストランド１０、内層ストランド２０及び外層ストランド３０を含む。
【００１８】
前記中心ストランド１０は、エレベータ用ロープの中心に配置されるものであり、複数のワイヤ１が撚られて形成される。前記ワイヤ１は、鋼（steel）からなる。
【００１９】
前記内層ストランド２０は、前記中心ストランド１０の外周に配置され、本実施形態によれば、前記内層ストランド２０は、１０本が設けられる。前記各内層ストランド２０は、複数のワイヤ１が撚られて形成される。
【００２０】
前記外層ストランド３０は、前記内層ストランド２０の外周に配置され、本実施形態によれば、前記内層ストランド２０の本数と同様に、１０本が設けられる。前記各外層ストランド３０も、複数のワイヤ１が撚られて形成される。
【００２１】
前記中心ストランド１０の直径、前記内層ストランド２０の直径、及び前記外層ストランド３０の直径は、前記外層ストランド３０に接する仮想の第１円４０の直径に対して、それぞれ０．３３ないし０．３５倍、０．１３ないし０．１５倍、及び０．２２ないし０．２４倍とされ、断面充填率（fill factor）は、６４％ないし６７％を有する。
【００２２】
内層ストランド２０及び外層ストランド３０の本数を１０本ですることにより、従来のロープよりシーブ（sheave）と接触する面積が増大し、面圧が分散され、ロープが円形率をさらに良好に維持し、ロープの形態安定性も、良好に確保されるという効果を提供する。
【００２３】
また、図１に図示されているように、各ストランドの直径は、中心ストランド１０の直径、外層ストランド３０の直径、内層ストランド２０の直径の順序に小さく形成するが、各ストランドの直径を、前記第１円４０の直径に対して、前述の範囲に設定し、断面充填率が、前述のように、６４％ないし６７％と高く維持される共に、ロープ径がロープ径許容公差範囲（ＥＮ１２３８５−５）内に存在するようにする。すなわち、ロープ径の許容公差範囲は、ロープ公称径（normal diameter）対比＋２％以内で与えられるが、本発明によるエレベータ用ロープは、前述の範囲に各ストランドの直径を設定することにより、前記許容公差範囲を満足させる。各ストランドの直径が、前記第１円４０の直径に対して、前述の範囲を外れる場合、断面充填率が６４％未満ないし６７％を超え、ロープ径は、ロープ径許容公差範囲を外れるようになる。
【００２４】
さらに、本実施形態によるエレベータ用ロープは、前記中心ストランド１０、内層ストランド２０及び外層ストランド３０を単一クロージング（closing）工程で製造し、断面充填率が前述の範囲に高く維持される。前記単一クロージング工程については、本発明によるエレベータ用ロープの製造方法の説明時に具体的に説明する。
【００２５】
本発明の実施形態によれば、内層ストランド２０のスペーシング（spacing）、及び外層ストランド３０のスペーシングは、下記のように設定される。
【００２６】
図２に図示されているように、互いに隣接した内層ストランド２０が、互いに離隔されて形成されたギャップを、内層ストランド２０間のギャップ（ＮＧ）とし、前記内層ストランド２０に接する仮想の第２円５０の直径を、内層ロープ径（ＮＲ）とするとき、０．３％≦（ＮＧ／ＮＲ）×１００≦０．６％である関係が成立する。ここで、（ＮＧ／ＮＲ）×１００は、内層ストランド２０のスペーシングという。
【００２７】
そして、互いに隣接した前記外層ストランド３０が、互いに離隔されて形成されたギャップを、外層ストランド３０間のギャップ（ＯＧ）とし、前記外層ストランド３０に接する仮想の前記第１円４０の直径を、外層ロープ径（ＯＲ）とするとき、０．５％≦（ＯＧ／ＯＲ）×１００≦１．０％である関係が成立する。ここで、（ＯＧ／ＯＲ）×１００は、外層ストランド３０のスペーシングという。
【００２８】
エレベータ用ロープにおいて、スペーシングは必ず必要な要素であり、構造的伸率、疲労寿命と密接な関係がある。スペーシングが大きい場合、構造的伸率が大きくなり、形態安定性が良好ではない。一方、スペーシングが過度に小さい場合、構造的伸率は、低くなるが、ストランド間の噛み合い圧力が上昇し、柔軟性が落ちて疲労寿命が低くなる。
【００２９】
本発明の実施形態によれば、前述のように、内層ストランド２０のスペーシングは、０．３％ないし０．６％に設定され、外層ストランド３０のスペーシングは、０．５％ないし１．０％に設定され、ロープ使用中の噛み合い圧力が発生せず、過度なスペーシングによる構造的不安定性を解消することができる。
【００３０】
従って、前述の範囲で、内層ストランド２０及び外層ストランド３０のスペーシングが設定されるので、高い断面充填率を有するようになり、切断力が上昇し、ロープの安全率が向上する。同時に、高い弾性係数及び低い伸率を有することになる。高い弾性係数及び低い伸率によって、エレベータの運行中、振動が最小化されて乗り心地が向上する。
【００３１】
また、本発明の実施形態によれば、前記中心ストランド１０のピッチは、前記中心ストランド１０の直径の６ないし８倍、前記内層ストランド２０のピッチは、前記内層ストランド２０の直径の８ないし１０倍、前記外層ストランド３０のピッチは、前記外層ストランド３０直径の６．５ないし８．５倍に形成される。
【００３２】
前述のような範囲でピッチが設定されることにより、ロープに荷重が付加されるとき、ロープを構成する全てのストランドに荷重が印加されることになるので、ロープの構造的な伸率が低下し、さらに荷重分配が均一になる。前述のようなピッチ範囲を外れた場合、中心ストランド１０、内層ストランド２０または外層ストランド３０のうちいずれか一つまたは二つに荷重が相対的に集中し、残りのストランドには荷重が不十分に印加され、荷重分配の不均一をもたらしてしまう。例えば、中心ストレント１０には、荷重が集中し、内層ストランド２０または外層ストランド３０には、荷重が相対的に不十分に印加される結果をもたらす。
【００３３】
一方、本発明の他の側面によれば、前述のエレベータ用ロープを製造する方法を提供する。
【００３４】
本実施形態によるエレベータ用ロープの製造方法は、ストランドセッティング段階及び単一クロージング段階を含む。
【００３５】
前記ストランドセッティング段階は、複数のワイヤ１を撚って形成した中心ストランド１０を配置し、前記中心ストランド１０の外周に、複数のワイヤ１を撚って形成した内層ストランド２０を１０本配置し、前記内層ストランド２０の外周に、複数のワイヤ１を撚って形成した外層ストランド３０を１０本配置する段階である。前記各ストランドに使用されるワイヤ１は、鋼（steel）である。
【００３６】
ここで、前記中心ストランド１０のピッチは、前記中心ストランド１０の直径の６ないし８倍に設定され、前記内層ストランド２０のピッチは、前記内層ストランド２０の直径の８ないし１０倍に設定され、前記外層ストランド３０のピッチは、前記外層ストランド３０直径の６．５ないし８．５倍に設定される。ピッチが前述のように設定された各ストランドをあらかじめ製造した後、前記ストランドセッティング段階が遂行される。
【００３７】
また、前記中心ストランド１０の直径、前記内層ストランド２０の直径、及び前記外層ストランド３０の直径は、前記外層ストランド３０に接する仮想の第１円４０の直径に対して、それぞれ０．３３ないし０．３５倍、０．１３ないし０．１５倍、及び０．２２ないし０．２４倍とされる。各ストランドの直径範囲を、前述のように設定するときの作用及び効果は、前述の通りであり、その具体的な説明は省略する。
【００３８】
次に、前記単一クロージング段階が遂行される。クロージング工程は、ロープを撚る工程を意味するものであり、本実施形態において、単一クロージング段階は、前記ストランドセッティング工程によって、中心ストランド１０、内層ストランド２０及び外層ストランド３０を配置した後、それらをいずれも１回で撚ってロープを製造することを意味する。
【００３９】
このように、前述の範囲で、各ストランドの直径が設定された状態で、前記中心ストランド１０、前記内層ストランド２０及び前記外層ストランド３０を同時に撚り、断面充填率（fill factor）が６４％ないし６７％になる。
【００４０】
一方、単一クロージング段階は、内層ストランド２０のスペーシングと、外層ストランド３０のスペーシングとが、下記のような範囲を維持するように遂行される。
【００４１】
すなわち、互いに隣接した前記内層ストランド２０が、互いに離隔されて形成されたギャップを、内層ストランド２０間のギャップ（ＮＧ）とし、前記内層ストランド２０に接する仮想の第２円５０の直径を、内層ロープ径（ＮＲ）とするとき、０．３％≦（ＮＧ／ＮＲ）×１００≦０．６％である関係が成立し、互いに隣接した前記外層ストランド３０が、互いに離隔されて形成されたギャップを、外層ストランド３０間のギャップ（ＯＧ）とし、前記外層ストランド３０に接する仮想の前記第１円４０の直径を、外層ロープ径（ＯＲ）とするとき、０．５％≦（ＯＧ／ＯＲ）×１００≦１．０％である関係が成立するように遂行される。かような範囲で、内層ストランド２０のスペーシング、及び外層ストランド３０のスペーシングが設定されるときの作用及び効果は、前述の通りであり、その具体的な説明は省略する。
【００４２】
このように、本発明によるエレベータ用ロープ及びその製造方法は、中心ストランド１０の周りに配置される、内層ストランド２０及び外層ストランド３０を１０本ずつ設け、シーブとの接触時の面圧を分散させ、構造的な安定性を高める。
【００４３】
また、中心ストランド１０、内層ストランド２０及び外層ストランド３０の直径を、前記第１円の直径に対して、所定範囲に設定し、内層ストランド２０のスペーシング及び外層ストランド３０のスペーシングを所定範囲になるようにし、断面充填率を高めることにより、ロープの切断力及び弾性係数を向上させ、伸率が低下したロープを提供する。
【００４４】
以上、本発明について、望ましい実施形態を挙げて詳細に説明したが、本発明は、前記実施形態に限定されるものではなく、本発明の範疇を外れない範囲内で、さまざまな多くの変形が提供される。従って、本発明の真の技術的保護範囲は、特許請求の範囲の技術的思想によって決められるものである。
【図１】
2017517655.tif 000003
【図２】
2017517655.tif 000004
【国際調査報告】
2017517655.tif 000005
2017517655.tif 000006
2017517655.tif 000007
2017517655.tif 000008